(57)【要約】【課題】指示薬成分の変色状況の把握を良好に行うことができ、アルデヒド類を吸着する主吸着部材の寿命を正確に把握できるように改良した寿命表示付きアルデヒド類除去部材を提供する。【解決手段】寿命表示付きアルデヒド類除去部材は、雰囲気に晒され雰囲気に含まれているアルデヒド類を吸着する主吸着部材１と、アルデヒド類を吸着すると共に、アルデヒド類の吸着に伴いｐＨ値を変化させて変色するインジケータ４とで構成されている。主吸着部材１は、アルデヒド類を吸着する第１の吸着物質を担持している。インジケータ４は、アルデヒド類を吸着する第２の吸着物質と、アルデヒド類の吸着に伴なって変化するｐＨ値により変色するｐＨ指示薬成分とを担持している。【選択図】図１
2004049297.tif 000002
【特許請求の範囲】
【請求項１】
雰囲気に晒され雰囲気に含まれているアルデヒド類を吸着する主吸着部材と、
アルデヒド類を吸着すると共にアルデヒド類の吸着に伴い変色するインジケータとで構成されており、
前記主吸着部材は、アルデヒド類を吸着する第１の吸着物質を担持し、
前記インジケータは、アルデヒド類を吸着する第２の吸着物質と、アルデヒド類の吸着に伴なって変化するｐＨ値により変色するｐＨ指示薬とを担持していることを特徴とする寿命表示付きアルデヒド類除去部材。
【請求項２】
請求項１において、前記主吸着部材に担持されている第１の吸着物質は、前記インジケータに担持されている第２の吸着物質と異材質または同系材質であり、前記インジケータは、前記主吸着部材に対して一体的に接合されている形態、接合可能な形態、分離されている形態のいずれかの形態で、前記主吸着部材と共に前記雰囲気に晒されるものであり、且つ、前記インジケータの表出面積は、前記主吸着部材の表出面積よりも小さいことを特徴とする寿命表示付きアルデヒド類除去部材。
【請求項３】
請求項１または請求項２において、前記主吸着部材の前記第１の吸着物質は、多孔質の粒子状の担体と第１のアミノ酸類とで形成されていることを特徴とする寿命表示付きアルデヒド類除去部材。
【請求項４】
請求項３において、前記第１のアミノ酸類は、グリシン、アラニン、リシン、チロシン、システィン、フェニルアラニン、セリン、ヒドロキシリシン、アミノ安息香酸及び／またはその塩類のうちの少なくとも１種であることを特徴とする寿命表示付きアルデヒド類除去部材。
【請求項５】
請求項３において、前記多孔質の粒子状の担体は粘土鉱物、活性炭、ケイソウ土、活性白土、アルミナ、シリカゲルのうちの少なくとも１種であることを特徴とする寿命表示付きアルデヒド類除去部材。
【請求項６】
請求項５においては、前記粘土鉱物は、セピオライト、アタパルジャイト、ゼオライト、ラフリナイト、ファルコンドアイト、パリゴルスカイトのうちの少なくとも１種であることを特徴とする寿命表示付きアルデヒド類除去部材。
【請求項７】
請求項１〜請求項６のうちのいずれか一項において、前記インジケータの前記第２の吸着物質は第２のアミノ酸類であることを特徴とする寿命表示付きアルデヒド類除去部材。
【請求項８】
請求項７において、前記第２のアミノ酸類は、グアニジノ基を含有する化合物であることを特徴とする寿命表示付きアルデヒド類除去部材。
【請求項９】
請求項８において、前記グアニジノ基を含有する化合物は、アルギニン及びその塩類のうちの少なくとも１種であることを特徴とする寿命表示付きアルデヒド類除去部材。
【請求項１０】
請求項１〜請求項９のうちのいずれか一項において、前記ｐＨ指示薬はフェノールレッド、オーリン、ニュートラルレッド、ナイルブルー、ニトロフェノールスルホンフタレイン、ｏークレゾールベンゼイン、ジブロムバニリデンシクロヘキサノン、ｏ−クレゾールレッド、αーナフトールフタレイン、インドオキシン、アリザリンブルー、ブロムチモールブルー、ｍークレゾールパープル、ｐーキシレノールブルーから選ばれた少なくとも１種であることを特徴とする寿命表示付きアルデヒド類除去部材。
【請求項１１】
請求項１〜請求項１０のうちのいずれか一項において、前記インジケータの前記ｐＨ指示薬は、前記主吸着部材の寿命に関する情報を意味する文字、図形、数字のうちの少なくとも一つを有する形状に前記インジケータに担持されており、変色に伴い、前記主吸着部材の寿命を意味する文字、図形、数字のうちの少なくとも一つを表示することを特徴とする寿命表示付きアルデヒド類除去部材。
【発明の詳細な説明】
【０００１】
【発明の属する技術分野】
本発明はホルムアルデヒドやアセトアルデヒド等の低級のアルデヒド類を吸着する寿命を表示する機能を有するアルデヒド類除去部材に関する。本発明に係るアルデヒド類除去部材は、例えば、住宅建材や家具等から放出されるアルデヒド類を吸着させるのに利用できる。
【０００２】
【従来の技術】
近年、住宅建材や家具等から放出されるホルムアルデヒドが室内空気質を汚染させるため、環境上問題となっている。特に、新築した家屋では室内においてホルムアルデヒドの発生が多く、環境面から問題となっている。ホルムアルデヒドは悪臭物質の一つであり、空気中に０．０５ｐｐｍという非常に低い濃度で残留していたとしても、その臭気が感じられ、更に２〜５ｐｐｍ程度となれば、目や人体の気道に強い刺激が与えられ、くしゃみ、咳が出る等し、人体への刺激が強くなる。
【０００３】
そこで、従来、文献１（特開平１１ー２２７８２４号公報）には、ホルムアルデヒド捕足機能を有するアンモニウム塩を担持させた養生床面シートを住宅工事中の施工床面に敷設し、工事期間中においてホルムアルデヒドの捕足除去を図るホルムアルデヒドの除去方法が開示されている。
【０００４】
また文献２（特開平１１ー１２８３２９号公報）には、アンモニウム塩を使いホルムアルデヒドと反応させ分解除去するホルムアルデヒド捕捉材が開示されている。そして文献２では、アンモニウム塩によりホルムアルデヒドを捕捉可能に形成された捕捉紙において、ホルムアルデヒドの捕捉により生成された酸性物質を検知し、変色し、変色に伴い捕捉部の捕捉状況を知られるｐＨ指示薬を担持させている。
【０００５】
更に文献３（特公昭５６ー５６２６０号公報）には、アミノ酸とｐＨ指示薬を担持した紙を用い、ホルムアルデヒドによって消毒するときの消毒完了時間をｐＨ指示薬の変色により知らせる消毒指示物が開示されている。
【０００６】
【発明が解決しようとする課題】
文献１は、養生床面シートがホルムアルデヒドを捕捉している状況を表示するインジケータ機能を有するものではない。
【０００７】
文献２は、捕捉紙の捕捉状況をｐＨ指示薬の変色で表示するインジケータ機能を有しているものの、ホルムアルデヒドを吸着する吸着物質を担持した捕捉紙と、捕捉紙の捕捉状況をユーザーに知らせるｐＨ指示薬を担持するインジケータとは分かれておらず、従ってホルムアルデヒドを捕捉する捕捉紙の全体にｐＨ指示薬を担持させ、捕捉紙の全体を変色させるものである。このように文献２によれば、ホルムアルデヒドを捕捉する捕捉紙と、捕捉紙の捕捉状況をユーザーに知らせるｐＨ指示薬を担持するインジケータとが分かれていない方式を採用しているため、捕捉紙に担持されているホルムアルデヒド吸着用の吸着物質の種類によっては、ｐＨ指示薬が変色作用を行ったときであっても、吸着物質自体の色等の影響を受けて、変色の鮮明性が低下するおそれがあり、捕捉紙の変色状況がユーザーに明確に視認できないおそれがある。この場合、捕捉紙の捕捉機能の寿命がきていても、ユーザーは捕捉紙の寿命を正確に認識できないおそれがあり、好ましくない。
【０００８】
文献３は、文献２の場合と同様に、消毒指示物を構成する紙における捕捉状況をｐＨ指示薬の変色で表示するインジケータ機能を有しているものの、ホルムアルデヒドを吸着する吸着物質を担持した紙と、紙におけるホルムアルデヒドの捕捉状況をユーザーに知らせるｐＨ指示薬を担持したインジケータとは分かれておらず、従ってホルムアルデヒドを捕捉する紙の全体にｐＨ指示薬を担持させ、消毒指示物を構成する紙の全体を変色させるものである。このように文献３によれば、ホルムアルデヒドを捕捉する紙と、紙におけるホルムアルデヒドの捕捉状況をユーザーに知らせるｐＨ指示薬を担持したインジケータとが分かれていない方式を採用しているため、ホルムアルデヒド吸着用の吸着物質の種類によっては、ｐＨ指示薬が変色したときであっても、変色の鮮明性が低下し、インジケータの変色状況がユーザーに明確に視認できないおそれがある。この場合、捕捉紙の寿命がきていても、消毒完了時間の正確な検知を誤認識するおそれがある。例えば、インジケータに担持されている吸着物質の色彩が暗いときには、ｐＨ値の変化に伴いｐＨ指示薬が変色したとしても、ｐＨ指示薬の変色が鮮明に現れず、ユーザーは変色状況を把握しにくく、消毒完了時間の誤認識が生じるおそれがある。更に文献３は、アミノ酸とｐＨ指示薬を使い、ホルムアルデヒドによる消毒終了時間をユーザーに知らせるもので、使用目的が異なっている。また、実際使用する場合、この方式ではかなり高濃度のホルムアルデヒドでなければ反応しないので、家屋等で問題としているｐｐｍオーダーのアルデヒド類に対しては使用することができない。
【０００９】
なお文献２では、硫酸アンモニウム塩がホルムアルデヒドと反応して、ホルムアルデヒドはヘキサメチレンテトラミンに変換されると同時に硫酸が生成する。変換されたヘキサメチレンテトラミンは酸が存在すると、［ＣＨ２）６Ｎ４］２のＨ２ＳＯ４のような塩を作り、ついで加水分解してホルムアルデヒドとアンモニアになる問題がある。即ち、ホルムアルデヒドの再放出の問題と、ｐＨ値が変化し、変・退色が生じる問題も生じる。更に生成した硫酸等の酸は、担体であるパルプ、ポリエステル不織布等を劣化、変色させる問題もあり、担体の強度低下やインジケータの色の変化をわかりにくくさせる欠点もある。文献３には、上記した問題点を解決する方策についての既述はない。
【００１０】
【発明が解決しようとする課題】
本発明は上記した実情に鑑みてなされたものであり、ｐＨ指示薬の変色状況の把握を良好に行うことができ、アルデヒド類を吸着する主吸着部材の寿命を正確に把握できるように改良した寿命表示付きアルデヒド類除去部材を提供することを課題とする。
【００１１】
【課題を解決するための手段】
本発明に係る寿命表示付きアルデヒド類除去部材は、雰囲気に晒され雰囲気に含まれているアルデヒド類を吸着する主吸着部材と、
アルデヒド類を吸着すると共に、アルデヒド類の吸着に伴い変色するインジケータとで構成されており、
主吸着部材は、アルデヒド類を吸着する第１の吸着物質を含み、
インジケータは、アルデヒド類を吸着する第２の吸着物質と、アルデヒド類の吸着に伴なって変化するｐＨ値により変色するｐＨ指示薬とを担持していることを特徴とするものである。
【００１２】
本発明によれば、主吸着部材における第１の吸着物質は、アルデヒド類の吸着除去機能を良好に発揮できるように選択される。従って、主吸着部材における第１の吸着物質を選択するにあたり、ｐＨ指示薬の変色状況を考慮せずとも良い。即ち、ｐＨ指示薬の変色状況に対して独立して、主吸着部材における第１の吸着物質を選択することができる。
【００１３】
インジケータは、アルデヒド類を吸着する第２の吸着物質と、アルデヒド類の吸着に伴いｐＨ値を変化させて変色するｐＨ指示薬とを担持する。主吸着部材の寿命をユーザーに知らせるように、インジケータのｐＨ指示薬が変色することにより、インジケータは変色する。従って、インジケータに担持される第２の吸着物質は、ｐＨ指示薬の変色状況を考慮して選択される。即ち、インジケータに担持されているｐＨ指示薬が変色したとき、第２の吸着物質の存在がｐＨ指示薬の変色状況をなるべく損なわないように、インジケータに担持される第２の吸着物質は選択される。
【００１４】
【発明の実施の形態】
本発明によれば、次の実施形態の少なくとも一つを採用することができる。
【００１５】
・主吸着部材はホルムアルデヒドやアセトアルデヒド等のアルデヒド類を吸着できるものであればよく、その形状はシート状でも、板状でも、ハニカム状、顆粒状、粉末状のいずれでも良い。インジケータについては、変色するインジケータ機能は期待されているものの、アルデヒド類を除去する機能は主吸着部材ほど必要とされない。このため、インジケータの表出面積は主吸着部材の表出面積よりも小さくすることができる。インジケータは、主吸着部材に対して一体的に接合されている形態、接合可能な形態、分離されている形態のいずれかの形態で、主吸着部材と共に雰囲気に晒される。主吸着部材の基材、インジケータの基材としては、紙、布、不織布等を例示することができ、これらに限定されるものではない。なお、紙としては、洋紙紙、和紙紙でも良い。
【００１６】
・本発明によれば、主吸着部材はアルデヒド類の吸着除去機能を期待されており、インジケータは主吸着部材の寿命を知らせるインジケータ機能を期待されている。このように主吸着部材及びインジケータは、期待されている機能が異なるため、主吸着部材に担持されている第１の吸着物質と、インジケータに担持されている第２の吸着物質とを、それらの機能を十分に発揮できるように異材質とすることができる。場合によっては、主吸着部材及びインジケータの双方の機能が大きく損なわれない限り、同系材質とすることもできる。
【００１７】
・主吸着部材の第１の吸着物質は、多孔質の粒子状の担体と第１のアミノ酸類とで形成されている実施形態を採用することができる。第１のアミノ酸類としては、中性アミノ酸、酸性アミノ酸、塩基性アミノ酸のいずれでも良い。また脂肪族アミノ酸、芳香族アミノ酸のいずれでも良い。具体的には、グリシン、アラニン、リシン（Ｌーリシン）、チロシン、システイン、フェニルアラニン、セリン、ヒドロキシリシン、アミノ安息香酸及び／又はその塩類のうちの少なくとも１種が例示される。２種以上を混在させても良い。芳香族アミノ酸としては、ｏ−芳香族アミノ酸、ｍ−芳香族アミノ酸、ｐ−芳香族アミノ酸、Ｐ−アミノサリチル酸、ｍ−アミノサリチル酸のいずれも用いることができる。場合によっては、主吸着部材に担持されている第１の吸着物質としては、グアニジノ基を含有するグアニジノ基含有化合物を採用することもできる。グアニジノ基含有化合物は、アルギニン及びその塩類のうちの少なくとも１種とすることができる。例えば、アルギニン及びアルギニン−グルタミン酸塩のうちの一方を用いても良いし、双方を用いても良い。更にアルギニンの塩類としては、その炭酸塩、塩酸塩、硝酸塩、リン酸塩、硫酸塩、ナトリウム塩、カリウム塩等も含まれる。
【００１８】
多孔質の粒子状の担体としては、粘土鉱物である実施形態を採用することができる。多孔質の粘土鉱物として含水珪酸マグネシウム質粘土鉱物等の含水珪酸塩系粘土鉱物を例示できる。含水珪酸塩系粘土鉱物としては、具体的には、セピオライト、アタパルジャイト、ゼオライト、ラフリナイト、ファルコンドアイト、パリゴルスカイトのうちの少なくとも１種を主要成分とすることができ、これらは微細な多数の細孔を有する。含水珪酸マグネシウム質粘土鉱物としては、マグネシウムや珪素の一部がアルミニウム、鉄、ニッケル、ナトリウム等で置換されている形態も含む。
【００１９】
上記した粘土鉱物自体もアルデヒド類の吸着能を有するが、アミノ酸系物質を粘土鉱物体自体に担持すれば、アルデヒド類の吸着除去能が一層向上する。粘土鉱物とアミノ酸系物質とアルデヒド類との反応によるものと推察される。粘土鉱物はそれ自体がバインダ機能を有するため、別のバインダを用いずとも、主吸着部材に担持される。但し必要に応じて、別のバインダを配合することもできる。多孔質の粒子状の担体としては活性炭、ケイソウ土、活性白土、アルミナ、シリカゲル等のうちの少なくとも１種の多孔質の粒子状の担体を用いることもできる。粘土鉱物等の担体は粒状であり、平均粒径が例えば３０μｍ以下、２０μｍ以下のもの、１０μｍ以下、５μｍ以下、１μｍ以下のものを採用できる。よって粘土鉱物等の担体は一般的には粉末粒子状、殊に微粉末粒子状で用いることができる。なお粘土鉱物等の担体の粉砕は、ミキサー、ボールミル、振動ミル、ハンマーミル等の公知の粉砕手段を用いて、湿式粉砕、乾式粉砕とすることができる。
【００２０】
・主吸着部材において、粘土鉱物等の多孔質の担体の量が相対的に過剰になれば、第１のアミノ酸類を担持した粘土鉱物等の多孔質の担体が主吸着部材から脱落する頻度が増加することがあり、粘土鉱物等の多孔質の担体が無駄になるおそれがある。また粘土鉱物等の多孔質の担体の量が相対的に過少になれば、第１のアミノ酸類を担持できる粘土鉱物等の多孔質の担体の量が低下し、ひいては第１のアミノ酸類の担持量が低下し、アルデヒド類に対する除去性が低下する。上記した点を考慮し、本発明に係る主吸着部材によれば、粘土鉱物等の多孔質の担体が担持されるときには、主吸着部材の単位面積あたり、粘土鉱物等の多孔質の担体の担持量は、重量で、１０ｇ／ｍ２〜１００ｇ／ｍ２、殊に４０ｇ／ｍ２〜８０ｇ／ｍ２、なかでも５０ｇ／ｍ２〜７０ｇ／ｍ２とすることができる。ただし、上記した範囲に限定されるものではない。
【００２１】
第１のアミノ酸類の担持量が過少であれば、アルデヒド類に対する除去性が低下する。第１のアミノ酸類の担持量が過多であれば、コスト高となる。従って主吸着部材の単位面積当たりについては、アルデヒド類に対する除去性を考慮し、第１のアミノ酸類の担持量は重量比で、０．６ｇ／ｍ２〜２４ｇ／ｍ２、殊に２．４ｇ／ｍ２〜１８ｇ／ｍ２、なかでも６ｇ／ｍ２〜１２ｇ／ｍ２とすることができる。ただし、上記した範囲に限定されるものではない。
【００２２】
・本発明によれば、インジケータに担持されている第２の吸着物質は、第１のアミノ酸類と異なる第２のアミノ酸類である実施形態を採用することができる。第２のアミノ酸類は、グアニジノ基を含有するグアニジノ基含有化合物を採用することができる。グアニジノ基含有化合物は、アルギニン及びその塩類のうちの少なくとも１種とすることができる。例えば、アルギニン及びアルギニン−グルタミン酸塩のうちの一方を用いても良いし、双方を用いても良い。因みに、文献（化学辞典　東京化学同人社）によれば、アルギニンは２−アミノ−５−グアニジノ吉草酸とされている。更にアルギニンの塩類としては、その炭酸塩、塩酸塩、硝酸塩、リン酸塩、硫酸塩、ナトリウム塩、カリウム塩等も含まれる。グアニジノ基含有化合物は、飲食品としても使用されており、幼児等が誤まって舐めたときであっても、安全である。なお、従来技術に係る文献１，２で使用されているアンモニウム塩は一般的に人体に有害であり、更にアンモニウム塩として記載されている硫酸アンモニウムは、化学肥料にもよく使用されるものであり、毒物ではないにしろ、人体に有害である。
【００２３】
・本発明によれば、好ましくは、インジケータの第２の吸着物質は、塩基性をもち、ｐＨ指示薬はｐＨ値が塩基性域から中性または酸性域に向けて変化するとき変色する実施形態を採用することができる。
【００２４】
・本発明によれば、インジケータに含まれているｐＨ指示薬は、使用開始前のインジケータに担持されている第２のアミノ酸のｐＨ値、インジケータにアルデヒド類が担持されたときのｐＨ値変化等を考慮して選択される。例えば、インジケータに含まれているｐＨ指示薬はフェノールレッド、オーリン、ニュートラルレッド、ナイルブルー、ニトロフェノールスルホンフタレイン、ｏークレゾールベンゼイン、ジブロムバニリデンシクロヘキサノン、ｏ−クレゾールレッド、αーナフトールフタレイン、インドオキシン、アリザリンブルー、ブロムチモールブルー、ｍークレゾールパープル、ｐーキシレノールブルーのうちの少なくとも１種である実施形態を採用することができる。フェノールレッドは酸塩基ｐＨ指示薬であり、フェノールスルホンフタレインとも呼ばれ、変色域はｐＨ８．４（赤色）〜ｐＨ６．８（黄色）である。ｐＨ指示薬の色変化時期は、アルデヒド類を吸着する性能を有する主吸着部材の寿命に連動していることが好ましい。即ち、主吸着部材の寿命がきたとき、あるいは、寿命の少し手前、寿命の少し後で、インジケータに含まれているｐＨ指示薬が変色することが好ましい。主吸着部材の寿命は、主吸着部材に吸着されるアルデヒド類の飽和吸着状態、または、飽和吸着状態に近い状態を意味する。
【００２５】
・本発明によれば、好ましくは、インジケータのｐＨ指示薬は、主吸着部材の寿命を意味する文字、図形、数字のうちの少なくとも一つを有する形状にインジケータに担持されており、変色に伴い、主吸着部材の寿命に関する情報を意味する文字、図形、数字のうちの少なくとも一つを表示する実施形態を採用することができる。この場合、主吸着部材の寿命に関する情報を意味する文字、図形または数字によって、ユーザーは、主吸着部材の寿命に関する情報を、確実に且つ具体的に認識することができる。
【００２６】
・本発明によれば、インジケータの基材のｐＨ値はｐＨ指示薬の変色に影響することがある。インジケータが紙を基材とする場合には、ｐＨ指示薬によっても相違するものの、紙のｐＨ値は例えば６〜１０、殊に６．５〜８．０を例示することができる。
【００２７】
【実施例】
以下、本発明の第１実施例について図１を参照して具体的に説明する。本実施例に係る寿命表示付きアルデヒド類除去部材は、ホルムアルデヒドを含有するかあるいは発生させる雰囲気に含まれているホルムアルデヒドを吸着する主吸着部材としての主シート１と、ホルムアルデヒドを吸着すると共にホルムアルデヒドの吸着に伴いｐＨ値を変化させて変色するインジケータ４とで構成されている。
【００２８】
主シート１は広い表出面積を有しており、建築物の空間や、床壁、天井壁等の壁に設置したり、家具に収容可能となっており、ホルムアルデヒドを吸着する第１の吸着物質を担持している。第１の吸着物質は、多孔質の微粒子状の担体としての粘土鉱物と、粘土鉱物に担持された第１のアミノ酸類とで形成されている。具体的には、粘土鉱物はセピオライトであり、第１のアミノ酸はグリシンである。セピオライトとグリシンとの相性は良く、ホルムアルデヒドの吸着除去能を高めることができる。なお文献（特開昭５６−６６２６０号公報）によれば、グリシンのｐＨ値は６．０とされている。
【００２９】
図１に示すように、インジケータ４は小片状をなしており、インジケータ４の表出面積は主シート１の表出面積よりも小さい。インジケータ４は主シート１と共に、ホルムアルデヒドを発生させるかあるいはホルムアルデヒドが含有されている雰囲気に晒されるものであり、主シート１の周辺部等の一部に両面テープ等の接着部材を介して主シート１に貼り付けて使用され、主シート１と同一の空間内に一体的に置くことができるようにされている。
【００３０】
インジケータ４は、ホルムアルデヒドを吸着する第２の吸着物質と、ホルムアルデヒドの吸着に伴いｐＨ値を変化させて変色するｐＨ指示薬とを担持している。第２の吸着物質は、主シート１に担持されている第１のアミノ酸類とは異なる第２のアミノ酸類とされており、具体的にはグアニジノ基を含有するグアニジノ基含有化合物とされている。本実施例ではグアニジノ基含有化合物はアルギニンとされている。アルギニンは塩基性を示す物質であり、文献（特開昭５６−６６２６０号公報）によればｐＨ１０．８とされている。このようにアルギニンを用いれば、塩基性であるため、インジケータ４へのホルムアルデヒドの吸着が進行するにつれて、インジケータ４が塩基性域から中性域に変化することができ、インジケータ４に担持されているｐＨ指示薬の変色を良好に行なわしめるのに有利である。
【００３１】
インジケータ４に担持されているｐＨ指示薬は具体的にはフェノールレッドである。フェノールレッドは、一般的には変色域がｐＨ値８．４（赤色）〜６．８（黄色）とされている。インジケータ４にホルムアルデヒドが吸着される量が増加すると、インジケータ４に担持されているアルギニンがホルムアルデヒドと反応してインジケータ４が塩基性域から中性域に変化する。これによりインジケータ４に担持されているｐＨ指示薬であるフェノールレッドは、赤色域から黄色域に変色する。このように塩基性域から中性域に変化する反応では、可逆反応が起こりにくいので、ホルムアルデヒドの再放出がないのはもちろん、変色したインジケータ４の変色・退色も抑制される。
【００３２】
インジケータ４に担持されるアルギニン濃度としては、インジケータ４となる紙に担持する前の溶液状態のとき、重量比で、０．３〜３０％、殊に１％〜２０％、２％〜１５％とすることができる。
【００３３】
本実施例によれば、インジケータ４におけるアルギニンの担持量（重量）としては、アルデヒド類の吸着性能等を考慮すると、インジケータ４の単位面積あたり、（０．４ｇ／ｍ２）〜（４２ｇ／ｍ２　）、殊に（１．４ｇ／ｍ２）〜（２８ｇ／ｍ２　）、（２．８ｇ／ｍ２）〜（２１ｇ／ｍ２　）とされている。
【００３４】
このようにすれば、住宅室内や家具収納・梱包内等の低濃度（例えば０．００１ｐｐｍ〜１００ｐｐｍ、０．０１ｐｐｍ〜２０ｐｐｍ）のホルムアルデヒドを除去する際において、主シート１の吸着寿命にほぼ対応してフェノールレッドが変色するように調整することができる。
【００３５】
上記したようにフェノールレッドが変色するタイミングは、主シート１の吸着寿命とほぼ一致するようにされている。この場合、使用用途に応じて、フェノールレッドが変色するタイミングについては、インジケータ４におけるアルギニンの担持量を変えることにより、主シート１の吸着寿命の少し前にしたり、主シート１の吸着寿命の少し後にしたりすることは可能である。
【００３６】
本実施例によれば、主シート１は次のように製造できる。まず、主シート１を形成する基材であるパルプと、粘土鉱物である微小粒状のセピオライト（平均粒径：２μｍ〜２５０μｍ）と、水とを含有するスラリー状混合物１００（図２参照）を形成する。このスラリー状混合物１００の配合割合としては、パルプを３０〜７０重量％、殊に４０〜６０重量％とすることができ、セピオライトを３０〜７０重量％、殊に４０〜６０重量％とすることができる。但しこれに限定されるものではなく、必要に応じて変更できることは勿論である。
【００３７】
このように形成したスラリー状混合物１００を網状の抄紙部材１１０（図２参照）の上面に供給する。スラリー状混合物１００に含まれている水は、抄紙部材１１０の下方に落下するものの、混合物に含まれているパルプやセピオライト等の固形残留物は、網状の抄紙部材１１０の上面に連続シート１２０として残る。即ち抄紙処理が行われる。このように抄紙処理で形成された連続シート１２０は、基本的には、パルプと粘土鉱物であるセピオライトとで形成されている。なお、必要に応じて、スラリー状混合物１００に他の配合剤を配合することもできる。
【００３８】
この連続シート１２０を抄紙部材１１０から剥離させ、約１２０℃で約３分間乾燥させる。連続シート１２０に含まれていた水分は、乾燥により除去される。その後、連続シート１２０は、案内ローラにより案内されつつ後工程に向けて搬送され、搬送途中において、連続シート１２０の上方に配置されているシャワー装置１４０から、第１のアミノ酸類（グリシン）１０重量％を含有させたアミノ酸類含有液状物１５０を連続シート１２０の上面に供給する。これによりアミノ酸類含有液状物１５０と連続シート１２０とを接触させる接触工程が実施される。この結果、第１のアミノ酸類は主シート１の基材であるパルプにも担持されるが、パルプに担持されているセピオライトの細孔に多量に担持される。
【００３９】
上記したように本実施例によれば、第１のアミノ酸類を含有するアミノ酸類含有液状物１５０を連続シート１２０に接触させることにより、第１アミノ酸類をセピオライトの細孔に含浸させる接触工程を実施するに先だって、連続シート１２０を乾燥させる乾燥工程を行なうことにしている。
【００４０】
仮に、第１のアミノ酸類を含有するアミノ酸類含有液状物１５０を連続シート１２０に接触させて第１アミノ酸類をセピオライトの細孔に含浸させる接触工程を実施する際に、連続シート１２０が含む水分量が過剰であれば、第１のアミノ酸類を含有するアミノ酸類含有液状物１５０が連続シート１２０の内部に浸透することが抑えられる。更に連続シート１２０に一旦担持させた第１のアミノ酸類が水を介して外部に溶出するおそれがあり、この場合、第１のアミノ酸類の担持率が高まらないおそれがある。この点本実施例によれば、第１のアミノ酸類を含有するアミノ酸類含有液状物１５０を連続シート１２０に接触させて含浸させる接触工程に先だって、連続シート１２０を乾燥させて連続シート１２０の内部の水分が低減されているため、接触工程において、アミノ酸類含有液状物１５０を連続シート１２０に含浸させ易い利点が得られ、ひいては主シート１における第１のアミノ酸類の担持率を高めるのに有利である。
【００４１】
上記したように第１アミノ酸類（グリシン）を含有する水系のアミノ酸類含有液状物１５０を連続シート１２０に接触させて連続シート１２０の内部に含浸させた後に、乾燥工程を再び行い、連続シート１２０に含有されている余剰の水分を除去し、その後、連続シート１２０を適宜のサイズに切断し、以て紙質の主シート１を形成する。
【００４２】
上記したセピオライトは多数の細孔を有する多孔質体であり、第１のアミノ酸類（グリシン）を担持することで、有害なホルムアルデヒドに対し有効に反応を起こし、ホルムアルデヒドを除去することができる。セピオライトに含まれている水分、マグネシウム、アミノ酸がホルムアルデヒドと反応するものと推察される。
【００４３】
次にインジケータ４の製造について説明を加える。まず、第２のアミノ酸類（アルギニン）とフェノールレッドとアルコールと水とを含有する水溶液を形成する。この場合、水溶液の配合としては、具体的には、アルギニンを０．３〜３０重量％、殊に１〜２０重量％とすることができ、フェノールレッドを０．０１〜１重量％、殊に０．０２〜０．５重量％とすることができ、このようにアルギニン及びフェノールレッドを、液状物としての水に混合させる。なお配合割合としてはこれに限定されるものではなく、必要に応じて変更できることは勿論である。
【００４４】
そして、インジケータ４となる紙と、この水溶液（第２のアミノ酸類を含有するアミノ酸含有液状物）とを接触させる。具体的には、インジケータ４となる紙をこの水溶液に所定時間（例えば１〜１０分間）浸漬させる。その後、水溶液から取り出した紙を約１０５℃で約３０分間度乾燥させ、所定のサイズに切断し、インジケータ４を形成する。製造後のインジケータ４は塩基性域であり、ｐＨ値１０〜１１であると推察される。
【００４５】
本実施例によれば、インジケータ４は製造時には主シート１と別体とされている。使用時には主シート１は、ホルムアルデヒドを発生させるか含有する建築物の内部、家具の内部等の雰囲気に晒される。この場合、図１に示すように、インジケータ４は両面テープ等の接着部材で主シート１に接着される。なお、主シート１について、アルギニン及びフェノールレッドを担持させていない状態で基材のｐＨ値は、一般的に６．５〜８．０である。
【００４６】
なお、グアニジノ基を有するアルギニンと、ホルムアルデヒドとが反応したときにおける反応を、化学式１として示す。化学式１で示すように、シッフ塩基が生成されると共に水が生成される。
【００４７】
【化１】
2004049297.tif 000003
【００４８】
本実施例によれば、主シート１における第１の吸着物質は、ホルムアルデヒドの吸着除去機能を充分に発揮できるように、セピオライトとグリシンとに選択されている。ここで、主シート１にはｐＨ指示薬が担持されていないため、主シート１に担持される第１の吸着物質を選択するにあたり、ｐＨ指示薬の変色状況を肉眼で認識できるようにする条件を考慮せずとも良い。即ち、ｐＨ指示薬の変色から独立して、主シート１における第１の吸着物質の種類、担持量を選択することができる利点が得られる。従って吸着性能が良好な第１の吸着物質の種類、その担持量を選択することができる。
【００４９】
インジケータ４は、前記したように、ホルムアルデヒドを吸着する第２の吸着物質と、ホルムアルデヒドの吸着に伴って変化するｐＨ値に基づいて変色するｐＨ指示薬とを担持している。主シート１の寿命（吸着飽和状態）をユーザーに知らせるように、インジケータ４は変色する。従って、インジケータ４における第２の吸着物質は、ｐＨ指示薬の変色状況を考慮して選択されている。
【００５０】
即ち、インジケータ４に担持されているｐＨ指示薬が変色したとき、第２の吸着物質の存在がｐＨ指示薬の変色の鮮明性状況をなるべく損なわないように、第２の吸着物質の種類、担持量は選択されている。仮に、インジケータ４に担持される第２の吸着物質として、第１の吸着物質と同様に、セピオライトと第１のアミノ酸類（グリシン）とが選択されている場合には、セピオライトは灰色気味であるためインジケータ４もその影響を受けた色となる。更にインジケータ４に担持される第２の吸着物質として活性炭と第１のアミノ酸類を用いたときには、インジケータ４も活性炭自体の黒色の影響を受けた色となる。このような場合、インジケータ４へのホルムアルデヒドの吸着に伴いｐＨ指示薬が変色したとしても、ｐＨ指示薬の変色状況が明瞭になりにくく、ユーザーに寿命判定時期を誤認識させるおそれがある。
【００５１】
この点本実施例によれば、前述したようにインジケータ４は、主シート１の第１の吸着物質と異なる第２の吸着物質と、ホルムアルデヒドの吸着に伴って変化するｐＨ値に基づいて変色するｐＨ指示薬とを担持しており、ホルムアルデヒドの吸着に伴いｐＨ指示薬が変色したとき、第２の吸着物質の存在がｐＨ指示薬の変色の鮮明性をなるべく損なわないように、インジケータ４に担持される第２の吸着物質の種類、担持量は選択されている。このため本実施例によれば、ホルムアルデヒドを吸着する主シート１の本来の性能を充分に確保しつつ、インジケータ４の変色状況の明瞭化を図ることができる。
【００５２】
更に本実施例によれば、インジケータ４に担持されている第２のアミノ酸類としてはアルギニンが使用されており、主シート１の第１のアミノ酸類としてはグリシンが使用されている。一般的にアルギニンはグリシンよりもコスト高であるため、表出面積が大きい主シート１で用いるよりも、表出面積が小さいインジケータ４で用いるのに適する。
【００５３】
主シート１の基材は紙質であるため、使用後には、焼却廃棄が容易である。なお、主シート１に吸着された有害なホルムアルデヒド（ＨＣＨＯ）は、アミノ酸（アミノ基：−ＮＨ２）と反応し、ホルムアルデヒドとしては実質的に残っていない。
【００５４】
（第２実施例）
図３は第２実施例を示す。本実施例は前記した第１実施例と基本的には同様の構成であり、基本的には同様の作用効果を奏する。本実施例においても、図３に示すように、インジケータ４Ｂの表出面積は、主シート１Ｂの表出面積よりも小さい。インジケータ４Ｂは、主シート１Ｂの周縁に一体的に外側に向けて突出して形成されている。本実施例においても、インジケータ４Ｂは主シート１Ｂと共に、ホルムアルデヒドを発生させるかホルムアルデヒドを含有する雰囲気に晒される。本実施例によれば、主シート１Ｂの単位面積あたり、セピオライトの担持量は４０〜８０ｇ／ｍ２であり、グリシンは担持量は５〜１３ｇ／ｍ２である。インジケータ４Ｂの単位面積あたり、アルギニンの担持量は１．４〜２８ｇ／ｍ２である。
【００５５】
（第３実施例）
図４は第３実施例を示す。本実施例は前記した第１実施例と基本的には同様の構成であり、基本的には同様の作用効果を奏する。本実施例においても、図４に示すように、インジケータ４Ｃは、主シート１Ｃの内部に一体的に配置されている。インジケータ４Ｃは主シート１Ｃと共に、ホルムアルデヒドを発生させるかホルムアルデヒドを含有する雰囲気に晒される。インジケータ４Ｃの表出面積は、主シート１Ｃの表出面積よりも小さい。この場合には、主シート１Ｃに第１の吸着物質（セピオライトとグリシン）を担持させるときに、主シート１Ｃの一部にマスキング材を貼り合わせてマスキング処理をし、主シート１Ｃにマスキング部を形成する。主シート１のマスキング部１ｘには第１の吸着物質は担持されない。そして、第２吸着物質（アルギニン）とｐＨ指示薬（フェノールレッド）とを含む液を、マスキング材を外した主シート１Ｃのマスキング部１ｘのみに接触させて含浸させる。これにより第２吸着物質とｐＨ指示薬を、マスキング材を外したマスキング部１ｘに担持させて、主シート１Ｃの内部に部分的に且つ一体的にインジケータ４Ｃを形成する。本実施例によれば、主シート１Ｃの単位面積あたり、セピオライトの担持量は４０〜８０ｇ／ｍ２であり、グリシンの担持量は５〜１３ｇ／ｍ２である。インジケータ４Ｃの単位面積あたり、アルギニンの担持量は１．４〜２８ｇ／ｍ２である。
【００５６】
（第４実施例）
図５は第４実施例を示す。本実施例は前記した第１実施例と基本的には同様の構成であり、基本的には同様の作用効果を奏する。本実施例においては、図５に示すように、インジケータ４ＤのｐＨ指示薬は、主シート１Ｄの寿命を意味する文字を有する形状にインジケータ４Ｄに担持されており、変色に伴い、主シート１Ｄの寿命を意味する文字である『おわり』を表示する。これによりユーザーは主シート１Ｄの寿命を正確に認識することができる。『おわり』に代えて『ＥＮＤ』『終了』、主シート１Ｄの交換を意味する『交換』、あるいは、他の語句でも良い。文字に代えて、主シート１Ｄの寿命を意味する図形、数字にしても良い。本実施例によれば、主シート１Ｄの単位面積あたり、セピオライトの担持量は４０〜８０ｇ／ｍ２であり、グリシンの担持量は５〜１３ｇ／ｍ２である。インジケータ４Ｄについては、単位面積で換算すると、アルギニンの担持量は１．４〜２８ｇ／ｍ２である。
【００５７】
（第５実施例）
図６は第５実施例を示す。本実施例は前記した第１実施例と基本的には同様の構成であり、基本的には同様の作用効果を奏する。以下、第１実施例と相違する部分を中心として説明する。本実施例によれば、主シート１Ｅにおいては、第１のアミノ酸類としてのＬ−リシンを担持したセピオライトが担持されている。主シート１Ｅの単位面積あたり、セピオライトの担持量は４０〜８０ｇ／ｍ２であり、Ｌ−リシンの担持量は５〜３０ｇ／ｍ２である。インジケータ４Ｅの単位面積あたり、アルギニンの担持量は１．４〜２８ｇ／ｍ２である。
【００５８】
（第６実施例）
図７は第６実施例を示す。本実施例は前記した第１実施例と基本的には同様の構成であり、基本的には同様の作用効果を奏する。以下、第１実施例と相違する部分を中心として説明する。本実施例においては、インジケータ４Ｆは主シート１Ｆと分離されており、主シート１Ｆの近傍において使用される。インジケータ４Ｆに担持されている第２のアミノ酸類としては、グアニジノ基含有化合物であるＬ−アルギニンＬ−グルタミン酸塩が使用されている。Ｌ−アルギニンＬ−グルタミン酸塩はグリシンよりもコスト高であるため、表出面積が大きい主シート１Ｆで用いるよりも、表出面積が小さいインジケータ４Ｆで用いるのに適する。製造の際には、Ｌ−アルギニンＬ−グルタミン酸塩及びフェノールレッドを含む水溶液を紙に浸透させる工程、乾燥させる工程を経て、インジケータ４Ｆを形成した。本実施例によれば、主シート１Ｆの単位面積あたり、セピオライトの担持量は例えば中央値で５０ｇ／ｍ２であり、グリシンは担持量は例えば中央値で３．８ｇ／ｍ２である。インジケータ４Ｆの単位面積あたり、Ｌ−アルギニンＬ−グルタミン酸塩の担持量は例えば中央値で４．２ｇ／ｍ２である。
【００５９】
（第７実施例）
図８は第７実施例を示す。本実施例は前記した第１実施例と基本的には同様の構成であり、基本的には同様の作用効果を奏する。以下、第１実施例と相違する部分を中心として説明する。本実施例においては、主吸着部材１Ｇに担持されている第１の吸着物質、インジケータ４Ｇに担持されている第２の吸着物質としては、グアニジノ基を含有するグアニジノ基含有化合物とされており、具体的には、アルギニンとされている。この場合、主シート１Ｇにはセピオライトは担持されていない。主シート１Ｇの単位面積あたり、アルギニンの担持量は０．４〜４２ｇ／ｍ２である。インジケータ４Ｇの単位面積あたり、アルギニンの担持量は１．４〜２８ｇ／ｍ２である。
【００６０】
（試験）
ホルムアルデヒドを含有する空気雰囲気（ホルムアルデヒド濃度：０．１ｐｐｍ）に、第１実施例に基づいて形成したインジケータ４及び主シート１を晒す試験を行った。この試験では、インジケータ４のなる紙と、アルギニン及びフェノールレッドを含む水溶液とを用い、水溶液に紙に１分間浸漬させた後に、１０５℃で３０分間乾燥させてインジケータ４を形成した。この水溶液ではアルギニンの濃度は重量比で５％とした。試験結果を図９に示す。図９の縦軸は、主シート１におけるホルムアルデヒドの吸着量を示す。図９の特性線Ｗ１は主シート１におけるホルムアルデヒドの吸着量の増加状況を推定して示す。図９の横軸はインジケータ４におけるｐＨ変化を示す。図９の特性線Ｗ１に示すように、吸着時間が経過するにつれて、主シート１におけるホルムアルデヒドの吸着量は次第に増加する。吸着開始からある時間Ｔ１経過すると、主シート１における吸着量はほぼ飽和状態となり、主シート１をそれ以上使用しても、雰囲気中のホルムアルデヒドの除去は実質的に行われないと判断される。即ち主シート１の寿命となる。主シート１にホルムアルデヒドが吸着される量が増加するにつれて、インジケータ４にホルムアルデヒドが吸着される量も増加する。このようにインジケータ４にホルムアルデヒドが吸着される量も増加すると、インジケータ４に担持されている第２のアミノ酸類（アルギニン）がホルムアルデヒドと反応し、インジケータ４が当初の塩基性域から中性域に変化する。これによりインジケータ４に担持されているフェノールレッドは赤色から橙色を経て黄色に変色する。即ち、図９に示すように、当初のインジケータ４はｐＨ値８．４よりも塩基性域であり、インジケータ４は赤色気味であったが、ホルムアルデヒドの吸着の進行につれてインジケータ４のｐＨ値が次第に低下し、変色した。即ち、主シート１の寿命が近づくにつれて、インジケータ４は赤色域から橙色域に変色を開始し、主シート１の寿命がきたときには、インジケータ４は黄色域に変色した。このように主シート１の寿命と、インジケータ４の変色とが対応していた。
【００６１】
（その他）
上記した実施例においては、ｐＨ指示薬としてフェノールレッドを用いているが、これに限られるものではなく、使用前のインジケータのｐＨ値に応じて他のｐＨ指示薬に代えることができる。場合によっては、塩基性域で青色、中性域で緑、酸性域で黄色を示すブロモチモールブルー（ＢＴＢ）、変色域が８．８〜７．２のクレゾールレッド、フェノールフタレインを用いても良い。複数のｐＨ指示薬を混合して用いることもできる。その他、本発明は上記した実施例のみに限定されるものではなく、要旨を逸脱しない範囲内で適宜変更して実施できるものである。発明の実施の形態、実施例に記載の語句は一部であっても、請求項に記載できるものである。
【００６２】
上記した記載から次の技術的思想も把握できる。
（付記項１）各請求項において、インジケータに担持されている第２の吸着物質は、塩基性をもち、インジケータに担持されているｐＨ指示薬はｐＨ値が塩基性域から中性域または酸性域に向けて変化するとき変色することを特徴とする寿命表示付きアルデヒド類除去部材。
（付記項２）雰囲気に晒され雰囲気に含まれているアルデヒド類を吸着する吸着部材であって、吸着部材の少なくとも一部に、ｐＨ指示薬等の変色可能な指示薬を担持すると共に吸着部材の寿命を示すインジケータが設けられており、
インジケータのｐＨ指示薬等の変色可能な指示薬は、吸着部材の寿命に関する情報を意味する文字、図形、数字のうちの少なくとも一つを有する形状に前記インジケータに担持されており、変色に伴い、前記吸着部材の寿命に関する情報を意味する文字、図形、数字のうちの少なくとも一つを表示することを特徴とする寿命表示付きアルデヒド類除去部材。吸着部材の寿命に関する情報について、文字、図形または数字で表示されるため、ユーザーの誤認識を確実に防止できる。
（付記項３）雰囲気に晒され雰囲気に含まれているアルデヒド類を吸着するものであって、アルデヒド類を吸着除去するアミノ酸類を担持しており、アミノ酸類は、グアニジノ基を含有する化合物であることを特徴とするアルデヒド類吸着部材。この場合、雰囲気中のアルデヒド類を吸着でき、しかも安全性が高い。アルデヒド類吸着部材はシート状を例示できる。
（付記項４）付記項３において、前記グアニジノ基を含有する化合物は、アルギニン及びその塩類のうちの少なくとも１種であることを特徴とするアルデヒド類除去部材。この場合、雰囲気中のアルデヒド類を吸着除去でき、しかも安全性が高い。
（付記項５）各請求項において、主吸着部材はｐＨ指示薬を担持しておらず、インジケータはｐＨ指示薬を担持していることを特徴とするアルデヒド類吸着部材。主吸着部材はｐＨ指示薬を担持していないため、アルデヒド類の吸着除去機能を発揮しつつ、ｐＨ指示薬の使用量が節約される。
（付記項６）各請求項において、主吸着部材は粘土鉱物等の粒子状の担体を担持しており、インジケータは粘土鉱物等の粒子状の担体を担持していないことを特徴とするアルデヒド類吸着部材。粘土鉱物は多孔質であり、主吸着部材における第１の吸着物質の担持性を高めることができる。粘土鉱物はそれ特有の色合を有するため、ｐＨ指示薬の変色の鮮明性を低下させるおそれがある。このような粘土鉱物はインジケータには含まれていないため、インジケータのインジケータ機能を損なうことが抑えられる。
（付記項７）各請求項において、インジケータに担持されているｐＨ指示薬の変色域は、主吸着部材におけるアルデヒド類の吸着飽和状態によるｐＨ値の変化に対応して設定されていることを特徴とするアルデヒド類吸着部材。
（付記項８）雰囲気に晒され雰囲気に含まれているアルデヒド類を吸着するインジケータであり、前記インジケータは、アルデヒド類を吸着するアミノ酸類と、アルデヒド類の吸着に伴なって変化するｐＨ値により変色するｐＨ指示薬とを担持していることを特徴とする寿命表示付きアルデヒド類除去部材。アミノ酸類としてグアニジノ基を含有する化合物を例示できる。
【００６３】
【発明の効果】
以上説明したように本発明によれば、変色するｐＨ指示薬は、インジケータに担持されているものの、アルデヒド類の吸着除去を主機能とする主吸着部材には担持されていない。このため主吸着部材に担持される第１の吸着物質は、主吸着部材におけるアルデヒド類の吸着除去機能を良好に発揮できるように選択することができる。従って、主吸着部材に担持される第１の吸着物質を選択するにあたり、ｐＨ指示薬の変色を考慮せずとも良い。即ち、ｐＨ指示薬の変色状況の如何にかかわらず、ｐＨ指示薬の変色から独立して、主吸着部材に担持される第１の吸着物質を選択することができ、アルデヒド類の吸着除去機能を向上させるのに有利である。
【００６４】
また本発明によれば、ｐＨ指示薬はインジケータに担持されているものの、アルデヒド類の吸着除去を主機能とする主吸着部材には担持されていないため、主吸着部材によるアルデヒド類の吸着除去機能を確保しつつ、ｐＨ指示薬の使用量を減少させるのに有利であり、価格の低廉化に貢献できる。
【図面の簡単な説明】
【図１】第１実施例に係る主シートとインジケータを示す正面図である。
【図２】主シートの製造過程を模式的に示す工程図である。
【図３】第２実施例に係る主シートとインジケータを示す正面図である。
【図４】第３実施例に係る主シートとインジケータを示す正面図である。
【図５】第４実施例に係る主シートとインジケータを示す正面図である。
【図６】第５実施例に係る主シートとインジケータを示す正面図である。
【図７】第６実施例に係る主シートとインジケータを示す正面図である。
【図８】第７実施例に係る主シートとインジケータを示す正面図である。
【図９】主シートにおける吸着されたホルムアルデヒドの吸着量とインジケータとの関係を示すグラフである。
【符号の説明】
図中、１は主シート（主吸着部材）、４はインジケータを示す。
【図１】
2004049297.tif 000004
【図２】
2004049297.tif 000005
【図３】
2004049297.tif 000006
【図４】
2004049297.tif 000007
【図５】
2004049297.tif 000008
【図６】
2004049297.tif 000009
【図７】
2004049297.tif 000010
【図８】
2004049297.tif 000011
【図９】
2004049297.tif 000012